(57)【要約】【課題】  収納時に底部の汚れが周囲に付き難く収納し易いとともに、使用方法が多様な靴カバーを提供することを課題とする。【解決手段】前方部と後方部とに分けられた本体と、該本体の前方部と後方部との間に設けられた少なくとも一以上の開閉部材と、を含んでなり、該開閉部材を閉じ合わせて本体の前方部を内側に縮小して後方部の内部に折り畳んで収納するか、本体の後方の前方に収納することができる。【選択図】  図１
2010069296.tif 000002
【特許請求の範囲】
【請求項１】
前方部と後方部とに分けられた本体と、
該本体の前方部と後方部との間に設けられた少なくとも一以上の開閉部材と、を含んでなり、該開閉部材を閉じ合わせて本体の前方部を内側に縮小して後方部の内部に折り畳んで収納するか、本体の後方の前方に収納することができることを特徴とする靴カバー。
【請求項２】
前記開閉部材が、本体の前方部と後方部との間の外側表面に設けられることを特徴とする請求項１に記載の靴カバー。
【請求項３】
前記開閉部材が、本体の前方部と後方部の内側に設けられることを特徴とする請求項１に記載の靴カバー。
【請求項４】
前記本体の前方部が、少なくとも一以上の対向する係合部材を具えてなり、本体の前方部を少なくとも一回以上反転して固定することを特徴とする請求項１に記載の靴カバー。
【請求項５】
前記本体の前方部が、少なくとも一以上の折り線を設けてなり、本体の前方部を少なくとも一回以上反転して折り曲げることができることを特徴とする請求項１に記載の靴カバー。
【請求項６】
前記本体の後方部が、少なくとも一以上の固定ベルトを具えてなることを特徴とする請求項１に記載の靴カバー。
【請求項７】
前記本体の後方部が、端縁部に開口状に形成されることを特徴とする請求項１に記載の靴カバー。
【請求項８】
前記本体の後方部が、開口の下方に切り欠け口を具えてなることを特徴とする請求項１に記載の靴カバー。
【請求項９】
前記本体の後方部が、少なくとも一以上の左右面を接続する接続部材を設けてなることを特徴とする請求項１に記載の靴カバー。
【請求項１０】
前記本体の下端が、両側に少なくとも一以上の固定ベルトの両端で接続することができることを特徴とする請求項１に記載の靴カバー。
【請求項１１】
前記本体の前方部が、両側を固定ベルトの両端で接続することを特徴とする請求項１に記載の靴カバー。
【請求項１２】
前記本体が、カバーのベルトであることを特徴とする請求項１に記載の靴カバー。
【請求項１３】
前記本体が、底のない靴面カバーであることを特徴とする請求項１に記載の靴カバー。
【請求項１４】
前記本体が、二本のパンツのパンツ部と接続することを特徴とする請求項１に記載の靴カバー。
【請求項１５】
前記本体が、その後方部を接続部材で二本のパンツのパンツ部に接続することを特徴とする請求項１４に記載の靴カバー。
【請求項１６】
前記本体が、後方部を一体に形成する方法で二本のパンツのパンツ部と接続することを特徴とする請求項１４に記載の靴カバー。
【請求項１７】
前記本体が、一体に形成する方法で二本のパンツのパンツ部に接続することを特徴とする請求項１４に記載の靴カバー。
【発明の詳細な説明】
【技術分野】
【０００１】
この発明は、靴カバーであって、特に雨天時などに着用している靴を被覆することができる靴カバーに関する。
【背景技術】
【０００２】
市場で販売されている靴が雨で濡れることを防ぐ靴カバーは、底部に底が設けられているだけである。
【０００３】
該底部を利用して形成された袋状のカバーで着用者の靴の靴先を被覆する。
【０００４】
また、該カバーで着用者の靴と脚部の外周を被覆して靴と脚部が雨で濡れることを防ぐ目的を達成する。
【０００５】
上述の靴カバーは、地面に接触する部分の主な部分が着用者の靴の底であるため、殆どの重量を受ける部分が着用者の靴底になる。
【０００６】
よって、靴カバーの底部の摩擦による損傷が比較的小さく、使用寿命が長い。
【０００７】
このため、該靴カバーは、比較的軽量で薄く、ソフトな底部を使用することができる。
【０００８】
上述の靴カバーは底部の半分、或いは半分よりも短い。よって、カバーが靴底の影響を比較的受け難い。
【０００９】
このため、折り畳みや湾曲することが簡単で、収納する体積を小さくすることができる。
【００１０】
該靴カバーは、長さや幅を調節することができ、ヒールのある靴を含むどのような幅、長さの靴にも使用することができる。
【００１１】
着用時に靴や脚にフィットするため、美観を具えている。
【００１２】
しかしながら、上述の靴カバーは、雨などを防ぐ遮断性が不足しているため、比較的深く水が溜まっている場所に脚を踏み入れることはできない。
【００１３】
このため、オートバイや、自転車に騎乗する人の使用に適している。
【００１４】
また、収納する場合、底部の汚れが周囲の部材につき易い。
【発明の開示】
【発明が解決しようとする課題】
【００１５】
この発明は、収納時に底部の汚れが周囲に付き難く収納し易いとともに、使用方法が多様な靴カバーを提供することを課題とする。
【課題を解決するための手段】
【００１６】
そこで、本発明者は従来の技術に見られる欠点に鑑みて鋭意研究を重ねた結果、前方部と後方部とに分けられた本体と、
該本体の前方部と後方部との間に設けられた少なくとも一以上の開閉部材と、を含んでなり、該開閉部材を閉じ合わせて本体の前方部を内側に縮小して後方部の内部に折り畳んで収納するか、本体の後方の前方に収納することができる靴カバーの構造によって課題を解決できる点に着眼し、かかる知見に基づいて本発明を完成させた。
【００１７】
以下、この発明について具体的に説明する。
請求項１に記載の靴カバーは、前方部と後方部とに分けられた本体と、
該本体の前方部と後方部との間に設けられた少なくとも一以上の開閉部材と、を含んでなり、該開閉部材を閉じ合わせて本体の前方部を内側に縮小して後方部の内部に折り畳んで収納するか、本体の後方の前方に収納することができる。
【００１８】
請求項２に記載の靴カバーは、請求項１における開閉部材が、本体の前方部と後方部との間の外側表面に設けられる。
【００１９】
請求項３に記載の靴カバーは、請求項１における開閉部材が、本体の前方部と後方部の内側に設けられる。
【００２０】
請求項４に記載の靴カバーは、請求項１における本体の前方部が、少なくとも一以上の対向する係合部材を具えてなり、本体の前方部を少なくとも一回以上反転して固定する。
【００２１】
請求項５に記載の靴カバーは、請求項１における本体の前方部が、少なくとも一以上の折り線を設けてなり、本体の前方部を少なくとも一回以上反転して折り曲げることができる。
【００２２】
請求項６に記載の靴カバーは、請求項１における本体の後方部が、少なくとも一以上の固定ベルトを具えてなる。
【００２３】
請求項７に記載の靴カバーは、請求項１における本体の後方部が、端縁部に開口状に形成される。
【００２４】
請求項８に記載の靴カバーは、請求項１における本体の後方部が、開口の下方に切り欠け口を具えてなる。
【００２５】
請求項９に記載の靴カバーは、請求項１における本体の後方部が、少なくとも一以上の左右面を接続する接続部材を設けてなる。
【００２６】
請求項１０に記載の靴カバーは、請求項１における本体の下端が、両側に少なくとも一以上の固定ベルトの両端で接続する。
【００２７】
請求項１１に記載の靴カバーは、請求項１における本体の前方部が、両側を固定ベルトの両端で接続する。
【００２８】
請求項１２に記載の靴カバーは、請求項１における本体が、カバーのベルトである。
【００２９】
請求項１３に記載の靴カバーは、請求項１における本体が、底のない靴面カバーである。
【００３０】
請求項１４に記載の靴カバーは、請求項１における本体が、二本のパンツのパンツ部と接続する。
【００３１】
請求項１５に記載の靴カバーは、請求項１４における本体が、その後方部を接続部材で二本のパンツのパンツ部に接続する。
【００３２】
請求項１６に記載の靴カバーは、請求項１４における本体が、後方部を一体に形成する方法で二本のパンツのパンツ部と接続する。
【００３３】
請求項１７に記載の靴カバーは、請求項１４における本体が、一体に形成する方法で二本のパンツのパンツ部に接続する。
【発明の効果】
【００３４】
この発明による靴カバーは、どのような靴にも使用でき、単独でも使用可能など使用方法が多様で便利で実用的であるという効果を有する。
【発明を実施するための最良の形態】
【００３５】
この発明は、収納時に底部の汚れが周囲に付き難く収納し易いとともに、使用方法が多様な靴カバーであって、前方部と後方部とに分けられた本体と、該本体の前方部と後方部との間に設けられた少なくとも一以上の開閉部材と、を含んでなり、該開閉部材を閉じ合わせて本体の前方部を内側に縮小して後方部の内部に折り畳んで収納するか、本体の後方の前方に収納することができる靴カバーの構造と特徴を詳述するために具体的な実施例を挙げ、図示を参照にして以下に説明する。
【実施例】
【００３６】
図１、図４は、この発明の靴カバーを示した説明図である。
【００３７】
該靴カバー１は前方部１−１と、後方部１−２とに分けて形成された本体と、本体の前方部と後方部との間に設けられた少なくとも一以上の開閉部材２（ファスナー、固定ボタン、面テープ、逆Ｖ字上の開閉部材など類似する効果を具えた部材）とを含んでなる。
【００３８】
よって、開閉部材を閉め合わせることで、靴カバーの本体の前方部を後方部の内側に隠して収納することができる（図３参照）か、或いは本体の後方部の前方に折り畳んでおくことができる（図６参照）。
【００３９】
該開閉部材２は図１に開示するように、靴カバー１の前方部１−１と、後方部１−２との間の外側表面に設けられる。
【００４０】
このため開閉部材を閉め合わせると、図３に開示するように、前方部が内側に縮小されて後方部の内部に収納される。
【００４１】
該開閉部材２は図４に開示するように、靴カバー１の本体の前方部１−１と後方部１−２との間の内側に設けられる。
【００４２】
よって、開閉部材を閉め合わせると図６に開示するように、前方部を後方部の前方に折り畳んで収納することができる。
【００４３】
該靴カバー１の本体の前方部１−１には少なくとも一以上の係合部材５、６（固定ボタン、面テープなど）が設けられ、靴カバーの本体の前方部を（上向き、或いは下向き）少なくとも一度反転させて折り畳み固定することができる。
【００４４】
該靴カバーの本体の前方部には少なくとも一本以上の紐が設けられ、靴カバーの本体の前方部（上向き、或いは下向き）に少なくとも一度以上反転させるために便利である。
【００４５】
該靴カバーの本体の後方部には少なくとも一以上の固定ベルト（紐、ベルト、伸縮ベルトなど）が設けられる。
【００４６】
該固定ベルトは両端が固定ボタンか、或いは面テープ、縫うなどの方法で靴カバーの本体上に固定して設けられる。
【００４７】
該固定ベルトは、着用者の脚部（ひざ下、或いはくるぶし）を環状に被覆して靴カバーの本体を固定することができる。
【００４８】
該固定ベルト７は図１に開示するように、中段を着用者の後方のかかとに係合して、靴カバー１の本体を後方に固定することができる。
【００４９】
よって、靴カバーの本体の前方部１−１を着用者の靴先上に緊密に固定することができる。
【００５０】
該靴カバーの本体の後方部における端縁部は開口状に形成し、後方部の左右の面は接続していない。
【００５１】
そこで、接続部材（固定ボタン、面テープ、ファスナーなど）で左右の面を接続して固定することができる。
【００５２】
該靴カバーの本体の後方部には開口の下に切り欠き口を設けてもよい。
【００５３】
該切り欠け口には開閉部材（ファスナー、固定ボタン、面テープなど）を設けて開口を開け閉めする。
【００５４】
該靴カバー１の本体の後方部１−２には図４に開示するように、少なくとも一以上の左右面を接続する固定部材８（固定ボタン、面テープなど）を設けて、靴カバーの本体の空間を着用者の靴の長さに合わせて調整するか、或いは靴カバーの本体の前方部１−１が着用者の靴に緊密に貼着するようにする。
【００５５】
靴カバーの本体の下端両側には少なくとも一以上の固定ベルト（紐、ベルト、伸縮ベルトなど）の両端で接続することができる。
【００５６】
該固定ベルトの両端は、固定ボタン、面テープ、或いは縫いつけるなどの方法で靴カバーの本体の下端両側に固定することができる。
【００５７】
該固定ベルトは着用者の靴のかかと前方に係合して設ける。
【００５８】
靴カバーの本体の前方部両側は固定ベルト（紐、ベルト、伸縮ベルトなど）で両端を接続することができる。
【００５９】
該固定ベルトの両端は、固定ボタン、面テープ、或いは縫いつけるなどの方法で靴カバーの本体の前方部の両側に固定する。
【００６０】
着用する場合、固定ベルトを着用者の後ろ足のかかとに位置するように後方に向けて靴カバーの本体の前方部が着用者の靴上に緊密に貼着するようにする。
【００６１】
靴カバーの本体は靴カバーのベルトであって、少なくとも一本か、或いはベルトで靴カバーの本体の底部を形成してもよい。
【００６２】
靴カバーの本体は底なしのカバーでもよく、底部３を設けなくてもよい。
【００６３】
靴カバーの本体は、両方のパンツのパンツ部分に接続する。
【００６４】
よって、靴カバーの本体の後方部が略筒型に形成されているため、同様の筒形の二本のパンツを接続することが非常に簡単である。
【００６５】
その接続方法は図７に開示するように、靴カバー１の本体が後方部１−２を接続部材９（縫い付ける、固定ボタン、ファスナー、面テープなど）の方法で二本のパンツ４に接続する。
【００６６】
靴カバーの本体の後方部には着脱可能な接続部材と二本のパンツのパンツ部とが接続されているため、靴の底部３が磨耗、或いは靴カバーの本体が損壊した場合に取り外して交換することができる。
【００６７】
図８に開示するように、靴カバー１の本体が後方部１−２を一体に形成する方法で二本のパンツ４に接続し、靴カバーの本体の後方部と二本のパンツのパンツ部とが一体に形成される。
【００６８】
靴カバーの本体（前方部と後方部）は、一体の方法で二本のパンツのパンツ部に接続される。つまり、靴カバーの本体の前方部と後方部と二本のパンツとが三者一体に形成される。
【００６９】
この発明の前方部と後方部は接続部材（縫い付ける、固定  ボタン、ファスナー、面テープなど）で接続されて靴カバーを形成するか、前方部と後方部とが一体に形成される方法で靴カバーを形成する。
【００７０】
この発明の靴カバーの底部３の長さがデザインにより靴底の１/２の長さの底部か、靴底の１/３の長さか、靴底の１/４の長さかなどに形成される。
【００７１】
この発明の後方部と二本のパンツとを接続して着用する場合、靴カバーの前方部が可視デザインの需要で、二本のパンツのパンツ部の前方、或いは二本のパンツのパンツ部の側面前方か、二本のパンツのパンツ部の側面等に位置する。
【００７２】
この発明の靴カバーと二本のパンツのパンツ部とを接続して使用する方法は実施形態の一つの方法であって、その他の雨具に接続して使用することもできる。
【００７３】
この発明の靴カバーの開閉部材が前方部と後方部との間の外側表面に設けられていると、靴カバーの後方部に前方部を収納することができ、本体で本体を収納して、収納袋を自然に形成する形態になる。
【００７４】
該開閉部材が前方部と後方部との間の内側に設けられている場合、前方部が後方部の前方に自然と収納袋を形成する形態になる。
【００７５】
汚れた底部は折り畳まれるため、周囲の部材を汚すことがない。
【００７６】
靴カバーは単独で使用してもよく、二本のパンツのパンツ部か、或いはその他の雨具に接続して使用してもよい。
【００７７】
靴カバーと二本のパンツのパンツ部とを接続して使用する場合、前方部の収納や使用がパンツ（靴カバーを含む）の長さに影響を与えることがない。
【００７８】
靴カバーの前方部を収納するだけであるため、収納の体積がさらに小さくなる。靴カバーと二本のパンツのパンツ部とを接続して使用する場合、前方部の収納が着用者の脚部をパンツ部から出し入れする場合に影響することがない。２
【００７９】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明特許請求の範囲に属するものとする。
【図面の簡単な説明】
【００８０】
【図１】この発明の靴カバーの前方部が外側に露出した状態を示した説明図である。
【図２】この発明の靴カバーの前方部を折り畳んだ状態を示した説明図である。
【図３】この発明の靴カバーの前方部を内側に縮小して隠した状態を示した説明図である。
【図４】この発明の靴カバーの前方部が外側に露出した他の実施形態を示した説明図である。
【図５】この発明の靴カバーの前方部を折り畳んだ他の実施形態を示した説明図である。
【図６】この発明の靴カバーの前方部を収納した他の実施形態を示した説明図である。
【図７】この発明の靴カバーのその他の実施形態を示した説明図である。
【図８】この発明の靴カバーの別の実施形態を示した説明図である。
【符号の説明】
【００８１】
１           靴カバー
１−１       前方部
１−２       後方部
２           開閉部材
３           底部
４           パンツ
５           係合部材
６           係合部材
７           固定ベルト
８           固定部材
９           接続部材
【図１】
2010069296.tif 000003
【図２】
2010069296.tif 000004
【図３】
2010069296.tif 000005
【図４】
2010069296.tif 000006
【図５】
2010069296.tif 000007
【図６】
2010069296.tif 000008
【図７】
2010069296.tif 000009
【図８】
2010069296.tif 000010